(57)【要約】【課題】  軸受を嵌合した軸受保持部の耐熱性を向上させることができるウォッシャポンプを提供する。【解決手段】  樹脂製のケース１１内に、通電により回転するアーマチュア２０を収納したモータ室１１Ａと、このアーマチュアのアーマチュア軸２１に結合されて回転するインペラ２２を収納したポンプ室１１Ｂとを仕切壁１１ｃで仕切ると共に、ケースの開口部１１ｂを覆う樹脂製のカバー１３の軸受保持部１４内に嵌合された軸受３０とケースの仕切壁の軸受保持部１２内に嵌合された軸受３１を介してアーマチュア軸２１を回転自在に支持し、液体吸入口１６からインペラの回転により洗浄液Ｗを吸引すると共に、液体吐出口１８より洗浄液を吐出するようにしたウォッシャポンプ１０において、カバー１３の軸受保持部１４の外周にリング状の拘束部材３２を嵌め込み自在にした。【選択図】      図１
2006340415.tif 000002
【特許請求の範囲】
【請求項１】
樹脂製で有底筒状のケース内に通電により回転するアーマチュアを収納し、かつ、前記ケースの開口部を覆う樹脂製のカバーの軸受保持部内に嵌合された軸受と該ケースの底壁の軸受保持部内に嵌合された軸受を介して前記アーマチュアのアーマチュア軸を回転自在に支持したモータにおいて、
前記カバーの軸受保持部と前記ケースの底壁の軸受保持部の少なくとも一方の軸受保持部の外周にリング状の拘束部材を嵌め込み自在にしたことを特徴とするモータ。
【請求項２】
請求項１記載のモータであって、
前記拘束部材として鉄製のＯリングを用いたことを特徴とするモータ。
【請求項３】
樹脂製のケース内に、通電により回転するアーマチュアを収納したモータ室と、このアーマチュアのアーマチュア軸に結合されて回転するインペラを収納したポンプ室とを仕切壁で仕切ると共に、前記ケースの開口部を覆う樹脂製のカバーの軸受保持部内に嵌合された軸受と前記ケースの仕切壁の軸受保持部内に嵌合された軸受を介して前記アーマチュア軸を回転自在に支持し、前記ポンプ室内に該ポンプ室に連通した液体吸入口から前記インペラの回転により洗浄液を吸引すると共に、該ポンプ室に連通した液体吐出口より前記洗浄液を吐出するようにしたウォッシャポンプにおいて、
前記カバーの軸受保持部と前記ケースの仕切壁の中央の軸受保持部の少なくとも一方の軸受保持部の外周にリング状の拘束部材を嵌め込み自在にしたことを特徴とするウォッシャポンプ。
【請求項４】
請求項３記載のウォッシャポンプであって、
前記拘束部材として鉄製のＯリングを用いたことを特徴とするウォッシャポンプ。
【発明の詳細な説明】
【技術分野】
【０００１】
本発明は、高速回転用のモータ及び該モータを内蔵したウォッシャポンプに関する。
【背景技術】
【０００２】
例えば、自動車のウォッシャタンクに貯蔵した洗浄液を吸い込んでノズルから噴射させるウォッシャポンプとしては、アーマチュアに電流を供給すると、このアーマチュアに結合したインペラがポンプ室内で回転し、ポンプ室の一方側に連通接続されたウォッシャタンクからポンプ室内に洗浄液を吸い込み、ポンプ室の他方側に連通接続されたノズルに洗浄液を加圧送給して、ノズルから洗浄面に対して洗浄液を噴射して洗浄するものが知られている。
【０００３】
このウォッシャポンプに用いられるカバーを図５に示す。このカバー１は、図示しない有底円筒状のケースの開口部を覆う合成樹脂製の略円板状に形成してあり、その中央には筒状の軸受保持部２を一体突出形成してある。そして、このカバー１の軸受保持部２内に嵌合された軸受３と上記ケースの底壁の軸受保持部内に嵌合された軸受を介してアーマチュアのアーマチュア軸（いずれも図示省略）を回転自在に支持してある。
【０００４】
【特許文献１】特開平５−１６１２９９号公報
【０００５】
【特許文献２】特開２００１−４５６９８号公報
【発明の開示】
【発明が解決しようとする課題】
【０００６】
しかしながら、前記従来のウォッシャポンプでは、合成樹脂製のカバー１の軸受保持部２内に軸受３が嵌合された構造になっているため、アーマチュアのコイルの発熱がアーマチュア軸から軸受３に伝達され、この伝達された熱によりカバー１の軸受保持部２が変形し易かった。特に、アーマチュアの回転数を上げた捲線仕様に変更した場合に、その発熱による影響が顕著になった。
【０００７】
そこで、本発明は、前記した課題を解決すべくなされたものであり、軸受を嵌合した軸受保持部の耐熱性を向上させることができるモータ及びウォッシャポンプを提供することを目的とする。
【課題を解決するための手段】
【０００８】
請求項１の発明は、樹脂製で有底筒状のケース内に通電により回転するアーマチュアを収納し、かつ、前記ケースの開口部を覆う樹脂製のカバーの軸受保持部内に嵌合された軸受と該ケースの底壁の軸受保持部内に嵌合された軸受を介して前記アーマチュアのアーマチュア軸を回転自在に支持したモータにおいて、前記カバーの軸受保持部と前記ケースの底壁の軸受保持部の少なくとも一方の軸受保持部の外周にリング状の拘束部材を嵌め込み自在にしたことを特徴とする。
【０００９】
請求項２の発明は、請求項１記載のモータであって、前記拘束部材として鉄製のＯリングを用いたことを特徴とする。
【００１０】
請求項３の発明は、樹脂製のケース内に、通電により回転するアーマチュアを収納したモータ室と、このアーマチュアのアーマチュア軸に結合されて回転するインペラを収納したポンプ室とを仕切壁で仕切ると共に、前記ケースの開口部を覆う樹脂製のカバーの軸受保持部内に嵌合された軸受と前記ケースの仕切壁の軸受保持部内に嵌合された軸受を介して前記アーマチュア軸を回転自在に支持し、前記ポンプ室内に該ポンプ室に連通した液体吸入口から前記インペラの回転により洗浄液を吸引すると共に、該ポンプ室に連通した液体吐出口より前記洗浄液を吐出するようにしたウォッシャポンプにおいて、前記カバーの軸受保持部と前記ケースの仕切壁の中央の軸受保持部の少なくとも一方の軸受保持部の外周にリング状の拘束部材を嵌め込み自在にしたことを特徴とする。
【００１１】
請求項４の発明は、請求項３記載のウォッシャポンプであって、前記拘束部材として鉄製のＯリングを用いたことを特徴とする。
【発明の効果】
【００１２】
以上説明したように、請求項１の発明のモータによれば、カバーの軸受保持部とケースの底壁の軸受保持部の少なくとも一方の軸受保持部の外周にリング状の拘束部材を嵌め込み自在にしたことにより、このリング状の拘束部材による軸受保持部の外周の拘束により高速回転用で発熱の高いアーマチュアでも軸受保持部の耐熱性を十分に確保することができ、軸受を確実に保持することができる。
【００１３】
請求項２の発明のモータによれば、拘束部材として鉄製のＯリングを用いたことにより、アーマチュアからアーマチュア軸と軸受に伝達される熱を鉄製のＯリングにより効率良く放熱することができ、軸受保持部の熱変形を確実に防止することができる。
【００１４】
請求項３の発明のウォッシャポンプによれば、カバーの軸受保持部とケースの仕切壁の中央の軸受保持部の少なくとも一方の軸受保持部の外周にリング状の拘束部材を嵌め込み自在にしたことにより、このリング状の拘束部材による軸受保持部の外周の拘束により高速回転用で発熱の高いアーマチュアでも軸受保持部の耐熱性を十分に確保することができ、軸受を確実に保持することができる。
【００１５】
請求項４の発明のウォッシャポンプによれば、拘束部材として鉄製のＯリングを用いたことにより、アーマチュアからアーマチュア軸と軸受に伝達される熱を鉄製のＯリングにより効率良く放熱することができ、軸受保持部の熱変形を確実に防止することができる。
【発明を実施するための最良の形態】
【００１６】
以下、本発明の一実施形態を図面に基づいて説明する。
【００１７】
図１は本発明の一実施形態のモータを内蔵したウォッシャポンプを示す断面図、図２は同ウォッシャポンプに用いられるカバーの軸受保持部に軸受とＯリングが取り付けられる前の状態を示す斜視図、図３は同カバーの軸受保持部に軸受が取り付けられてＯリングが取り付けられる前の状態を示す斜視図、図４は同カバーの軸受保持部に軸受とＯリングが取り付けられた状態を示す斜視図である。
【００１８】
図１に示すように、ウォッシャポンプ１０は、合成樹脂製で有底円筒状のケース１１内に、通電により回転するアーマチュア２０を収納したモータ室１１Ａと、このアーマチュア２０のアーマチュア軸２１に結合されて回転するインペラ２２を収納したポンプ室１１Ｂとを底壁（仕切壁）１１ｃで仕切った状態に設けている。そして、ポンプ室１１Ｂ内に該ポンプ室１１Ｂに連通した液体吸入口１６からインペラ２２の回転により洗浄液Ｗを吸引すると共に、該ポンプ室１１Ｂに連通した液体吐出口１８より洗浄液Ｗを吐出するようになっている。
【００１９】
図１に示すように、ケース１１は、底有円筒状の周壁１１ａの開口部１１ｂ内に合成樹脂製のモータカバー（カバー）１３を嵌合してあり、このモータカバー１３には電源供給用コネクタ１３Ａを一体突出形成してある。そして、ケース１１の周壁１１ａ内の底壁１１ｃより上側にモータ室１１Ａを形成してあると共に、このケース１１の底壁１１ｃと該底壁１１ｃの外周部１１ｄに固着された合成樹脂製で断面略凵字状のポンプカバー１５との間にポンプ室１１Ｂを形成してある。
【００２０】
また、ケース１１の周壁１１ａの内周面には金属製で円筒状のヨーク２３を固定してある。このヨーク２３の内周面にはマグネット２４を接着剤等を介して固着してある。そして、モータカバー１３の中央の円筒状の軸受保持部１４内に嵌合された軸受３０とケース１１の底壁１１ｃの中央の円筒状の軸受保持部１２内に嵌合された軸受３１との間でアーマチュア軸２１の上端部２１ａと下部２１ｃをそれぞれ回転自在に支持してある。これら各軸受３０，３１として円環状のメタル軸受（すべり軸受）を用いている。
【００２１】
図１〜図４に示すように、モータカバー１３は合成樹脂により円板状に形成してあり、その中央には円形穴１３ａを形成してある。また、モータカバー１３の中央には円形穴１３ａに連通するように円筒状の軸受保持部１４を一体突出形成してある。この軸受保持部１４には凹状の切欠き部１４ａを複数形成してあると共に、該軸受保持部１４の外周には鉄製のＯリング（リング状の拘束部材）３２を嵌め込んである。
【００２２】
また、アーマチュア軸２１のマグネット２４に対向する位置には、アーマチュア２０を取り付けてある。このアーマチュア２０は、アーマチュア軸２１の軸方向略中央に固定され、所定のスロット数のコイル巻回部２０ｂを持つアーマチュアコア２０ａと、このアーマチュアコア２０ａのコイル巻回部２０ｂに巻き回されたアーマチュアコイル２０ｃとで構成されている。さらに、アーマチュア軸２１の上部２１ｂにはコンミュテータ２５を固定してある。このコンミュテータ２５は、アーマチュアコア２０ａのコイル巻回部２０ｂと同数のコンミュテータ片２５ａを備えていて、各コンミュテータ片２５ａとアーマチュアコイル２０ｃとは電気的にそれぞれ接続されている。
【００２３】
さらに、モータカバー１３のコンミュテータ２５に対向する位置には、一対のブラシホルダ部１３ｂ，１３ｂを固定してあり、この各ブラシホルダ部１３ｂにブラシ２６をそれぞれ取り付けてある。この各ブラシ２６は電源供給用コネクタ１３Ａの一対の端子１３ｃ，１３ｃを通じて図示しないウォッシャ回路にそれぞれ電気的に接続されている。これらアーマチュア２０とアーマチュア軸２１とヨーク２３とマグネット２４とコンミュテータ２５及びブラシ２６とでモータＭが構成されている。そして、図示しないウォッシャスイッチがオン操作されると、電源供給用コネクタ１３Ａの一対の端子１３ｃ，１３ｃと各ブラシ２６及びコンミュテータ片２５ａを介して電流がアーマチュア２０に流れてアーマチュア軸２１が正回転するようになっている。
【００２４】
また、アーマチュア軸２１の下端部２１ｄにはインペラ２２の円筒部２２ａを円周方向には相対的回転不能に、且つ軸方向には摺動可能に結合してある。この円筒部２２ａの外周には羽根部２２ｂを等間隔毎に放射状に複数一体突出形成してある。さらに、ケース１１の底壁１１ｃには、円筒状の液体吸入口１６を一体突出形成してある。この円筒状の液体吸入口１６は図示しないウォッシャタンクに接続されている。また、液体吸入口１６は、底壁１１ｃの中央に形成された孔状の液体導入部１７を介してポンプ室１１Ｂに連通している。
【００２５】
さらに、ポンプカバー１５の周壁１５ａの液体吸入口１６に対向する位置には、円筒状の液体吐出口１８を一体突出形成してある。この円筒状の液体吐出口１８は、液体送給管を介してノズル（いずれも図示省略）に連通接続してある。
【００２６】
尚、ケース１１の底壁１１ｃの中央の円筒部１１ｅとアーマチュア軸２１の下部２１ｃ間は円環状のシール体１９でシールされている。このシール体１９によってモータ室１１Ａがポンプ室１１Ｂに対して水密を保持されている。また、ケース１１の液体吸入口１６内には洗浄液Ｗを濾過する図示しないフィルタを取り付けてある。
【００２７】
以上実施形態のウォッシャポンプ１０によれば、図１及び図４に示すように、モータカバー１３の中央の軸受保持部１４の外周に鉄製のＯリング３２が嵌め込まれている。この鉄製のＯリング３２による軸受保持部１４の外周の拘束により、高速回転用で発熱の高いアーマチュア２０でもモータカバー１３の軸受保持部１４の耐熱性を十分に確保することができ、軸受３０を確実に保持することができる。即ち、高速回転用で発熱の高いアーマチュア２０からアーマチュア軸２１と軸受３０に伝達される熱を鉄製のＯリング３２により効率良く放熱することができ、モータカバー１３の軸受保持部１４の熱変形を確実に防止することができる。これにより、アーマチュア２０のアーマチュア軸２１を常に安定した状態で回転させることができる。
【００２８】
尚、前記実施形態によれば、モータカバー１３の中央の軸受保持部１４の外周に拘束部材としての鉄製のＯリング３２を嵌め込んだ場合について説明したが、ケース１１の底壁１１ｃの中央の軸受保持部１２に鉄製のＯリング３２を嵌め込んでも良い。また、拘束部材は鉄製のＯリングに限られるものではなく、銅やアルミ等の金属または耐熱性を有する熱硬化性樹脂を採用しても良いことは勿論である。
【図面の簡単な説明】
【００２９】
【図１】本発明の一実施形態のモータを内蔵したウォッシャポンプを示す断面図である。
【図２】上記ウォッシャポンプに用いられるカバーの軸受保持部に軸受とＯリングが取り付けられる前の状態を示す斜視図である。
【図３】上記カバーの軸受保持部に軸受が取り付けられてＯリングが取り付けられる前の状態を示す斜視図である。
【図４】上記カバーの軸受保持部に軸受とＯリングが取り付けられた状態を示す斜視図である。
【図５】従来のウォッシャポンプに用いられるカバーの軸受保持部内に軸受が嵌め込まれた状態を示す斜視図である。
【符号の説明】
【００３０】
１０  ウォッシャポンプ
１１  ケース
１１ｂ  開口部
１１ｃ  底壁（仕切壁）
１１Ａ  モータ室
１１Ｂ  ポンプ室
１２  軸受保持部
１３  モータカバー（カバー）
１４  軸受保持部
１６  液体吸入口
１８  液体吐出口
２０  アーマチュア
２１  アーマチュア軸
２２  インペラ
３０，３１  軸受
３２  Ｏリング（拘束部材）
Ｍ  モータ
Ｗ  洗浄液
【図１】
2006340415.tif 000003
【図２】
2006340415.tif 000004
【図３】
2006340415.tif 000005
【図４】
2006340415.tif 000006
【図５】
2006340415.tif 000007